(57)【特許請求の範囲】
【請求項１】
上下に挟み片1a・1bを有する側面形状が略Ｕ字型の合成樹脂成形体であって、これら挟み片1aと1bとの間は銜え口11を形成して帽子またはサンバイザーなどの鍔Ｂに圧入することによってクリップ式に当該鍔Ｂに連結可能であると共に、下側の挟み片1bはソケット口12が形成されて、内部には抜き挿し方向に所要間隔のノッチ12ａ・12ａ・…が列設されたクリップ１と；このクリップ１のソケット口12に抜き挿し自在に挿入可能なプラグ部21を差込側の一端に備え、このプラグ部21には前記クリップ１のソケット口12のノッチ12ａに対応する突起21ａが形成され、この突起21ａは前記ソケット口12のノッチ12ａと係合可能である一方、前記プラグ部21とは反対側に位置する他端部には二股形状の挟持ブラケット22が持出形成され、この挟持ブラケット22の各々には内周面に内歯ノッチ22ｂ・22ｂ・…を有する接続孔22ａ・22ａ・…が相対向して形成された合成樹脂成形体から成る差込部材２と；この差込部材２における挟持ブラケット22の接続孔22ａ・22ａに嵌合して継足状態に接続される合成樹脂板状成形体であって当該板面3aの幅方向には刻み溝32・32・…が形成されていると共に、前記差込部材２に連結される基端側には連結軸31が設けられており、かつ、この連結軸31の周面には段階ノッチ31ａ・31ａ・…が形成されて前記挟持ブラケット22の内歯ノッチ22ｂと連結噛合して段階的に角度位置が安定に定置可能である一方、前記連結軸31に対し反対側に位置する端縁近傍部分は二股に分割成形されて股間が弾力的に圧縮可能なレベル調節部材３と；横長偏光グラス４の中央部に固定された合成樹脂成形体から成るスリーブ部材であって、その内面には前記レベル調節部材３の刻み溝32・32・…と摺接して位置調節可能な掛止突起51を有し、かつ、レベル調節部材３の端縁の股間部分を弾圧して圧縮させることにより分離可能なレベル調節バックル５と；を連関状態に組み合わせ構成したことを特徴とする帽子・サンバイザー用クリップサングラス。
【請求項２】
連結軸31に対し反対側に位置するレベル調節部材３の二股に分割成形された端縁近傍部分の突端に外向きには係止ヅメ33・33が突設されており、この下端部がレベル調節バックル５に挿入したとき、前記係止ヅメ33・33がバックル縁部52に係止して抜止め可能である一方、当該下端部を両側面から摘み押して弾圧することにより前記係止ヅメ33・33の係合を解除して取り外しできることを特徴とする請求項１記載の帽子・サンバイザー用クリップサングラス。
【発明の詳細な説明】
【０００１】
【発明の属する技術分野】
本発明は、眼鏡やサングラスなどの帽子・サンバイザーの取付機構の改良、さらに詳しくは、偏光グラスの撥ね上げ保持角度を段階的に調節することができ、しかも最適な位置に簡単かつ確実に位置決めすることができる帽子・サンバイザー用クリップサングラスに関するものである。
【０００２】
【従来の技術】
帽子やサンバイザーなどの鍔（brim) にクリップを挟みつけて、偏光グラスを取付けるクリップサングラスは、テンプルやパッドを用いることなくサングラスを眼前に配置することができ、手軽に使用できることから、サングラスの常用者の間で好評を得ている。
【０００３】
ところで、このようなクリップサングラスにおいては、従来、偏光グラスを接眼位置、撥ね上げ位置に揺動させて固定することができるクリップサングラスが提案されている（例えば、特許文献１参照。）。
【０００４】
しかしながら、かかるクリップサングラスは、偏光グラスを接眼位置、撥ね上げ位置に揺動させて固定する場合、上げるか下げるかしかできないために、着用者の目の位置に的確に合わせて保持したり、一定の角度位置に定置させておくことが困難であった。
【０００５】
また、このクリップサングラスは、偏光グラスを取り外すことができず、使用目的や天候に合わせて偏光グラスを取り替えることができないという不満があった。
【０００６】
【特許文献１】
実開平04-27419号公報（第１頁、第１−２図）
【０００７】
【発明が解決しようとする課題】
本発明は、従来のクリップサングラスに上記の如き問題点があったことに鑑みて為されたのであって、その目的とするところは、偏光グラスの撥ね上げ保持角度を段階的に調節することができ、しかも最適な位置に簡単かつ確実に位置決めすることができる帽子・サンバイザー用クリップサングラスを提供することにある。
【０００８】
また、本発明の他の目的は、使用目的や天候に合わせて偏光グラスを取り替えることができるクリップサングラスを提供するにある。
【０００９】
【課題を解決するための手段】
本発明者が上記課題を解決するために採用した手段を、添付図面を用いて説明すれば、次のとおりである。
【００１０】
即ち、本発明は、上下に挟み片1a・1bを有する側面形状が略Ｕ字型の合成樹脂成形体であって、これら挟み片1aと1bとの間は銜え口11を形成して帽子またはサンバイザーなどの鍔Ｂに圧入することによってクリップ式に当該鍔Ｂに連結可能であると共に、下側の挟み片1bはソケット口12が形成されて、内部には抜き挿し方向に所要間隔のノッチ12ａ・12ａ・…が列設されたクリップ１と；このクリップ１のソケット口12に抜き挿し自在に挿入可能なプラグ部21を差込側の一端に備え、このプラグ部21には前記クリップ１のソケット口12のノッチ12ａに対応する突起21ａが形成され、この突起21ａは前記ソケット口12のノッチ12ａと係合可能である一方、前記プラグ部21とは反対側に位置する他端部には二股形状の挟持ブラケット22が持出形成され、この挟持ブラケット22の各々には内周面に内歯ノッチ22ｂ・22ｂ・…を有する接続孔22ａ・22ａ・…が相対向して形成された合成樹脂成形体から成る差込部材２と；この差込部材２における挟持ブラケット22の接続孔22ａ・22ａに嵌合して継足状態に接続される合成樹脂板状成形体であって当該板面3aの幅方向には刻み溝32・32・…が形成されていると共に、前記差込部材２に連結される基端側には連結軸31が設けられており、かつ、この連結軸31の周面には段階ノッチ31ａ・31ａ・…が形成されて前記挟持ブラケット22の内歯ノッチ22ｂと連結噛合して段階的に角度位置が安定に定置可能である一方、前記連結軸31に対し反対側に位置する端縁近傍部分は、二股に分割されて股間が弾力的に圧縮可能なレベル調節部材３と；横長偏光グラス４の中央部に固定された合成樹脂成形体から成るスリーブ部材であって、その内面には前記レベル調節部材３の刻み溝32・32・…と摺接して位置調節可能な掛止突起51を有し、かつ、レベル調節部材３の端縁の股間部分を弾圧して圧縮させることによって分離可能なレベル調節バックル５とを連関状態に組み合わせるという技術的手段を採用した点に特徴がある。
【００１１】
【発明の実施の形態】
本発明の実施形態を具体的に図示した図面に基いて更に詳細に説明すると、次のとおりである。
【００１２】
本発明による実施形態を図１〜図８に基いて説明する。本発明品は、帽子またはサンバイザーなどの鍔Ｂにクリップ式に連結して、着用者の眼前に横長偏光グラス４を配設可能なサングラスである（図１参照）。図中、符号１で指示するものはクリップであって、このクリップ１は挟み片1a・1bを上下に有して側面形状が略Ｕ字形を呈しており、このクリップ１が帽子やサンバイザーなどの鍔Ｂを挟持することにより、サングラス全体を前記鍔Ｂに連結することができる。
【００１３】
そして、上下の挟み片1aと1bとの間は、前記鍔Ｂに圧入して当該鍔Ｂに接続せしめる銜え口11を形成しており、その下側の挟み片1bにはソケット口12を備え、かつ、このソケット口12の内部には抜き挿し方向に沿って所要間隔のノッチ12ａ・12ａ・…が形成されている。
【００１４】
符号２で指示するものは差込部材であって、この差込部材２は前記クリップ１のソケット口12に抜き挿し自在に挿入可能なプラグ部21を一端に備え、このプラグ部21には前記クリップ１のソケット口12のノッチ12ａに対応する突起21ａが形成され、この突起21ａは前記ソケット口12のノッチ12ａと係合可能である（図２参照）。
【００１５】
この際、必要に応じて、突起21ａの周囲を「コ」の字形に切欠いておくことにより、突起21ａを弾性的に上下動可能にして、前後のスライド動作をスムーズにすることができる（図３参照）。
【００１６】
また、前記プラグ部21とは反対側の端部には二股形状の挟持ブラケット22が持出形成され、この挟持ブラケット22の各々には内周面に内歯ノッチ22ｂ・22ｂ・…を有する接続孔22ａ・22ａ・…が対称的に形成されている（図４参照）。
【００１７】
更にまた、符号３で指示するものはレベル調節部材であって、このレベル調節部材３は前記差込部材２における挟持ブラケット22の接続孔22ａ・22ａに嵌合して内歯ノッチ22ｂのピッチで段階的に角度位置が安定する連結軸31を備えた板状体であって、この連結軸31の表面には所要間隔の段階ノッチ31ａ・31ａ・…が形成されており、かつ、板面には幅方向の刻み溝32・32・…が形成されている（図４〜７参照）。
【００１８】
更にまた、符号４で指示するものは横長偏光グラスであって、この横長偏光グラス４はアクリル板に偏光フィルムが貼り付けられ、左右両眼を覆うに足るサイズに成形されている。
【００１９】
そして、符号５で指示するものはレベル調節バックルであり、このレベル調節バックル５は、横長偏光グラス４の中央部に固定されたスリーブ部材であって、その内周には前記レベル調節部材３の刻み溝32・32・…と位置調節自在に嵌合する掛止突起51を有する。
【００２０】
しかして、本実施形態のサングラスを構成するにあっては、レベル調節部材３の連結軸31を、前記挟持ブラケット22の接続孔22ａに嵌入すると、連結軸31の外周側面に形成された段階ノッチ31ａが、接続孔22ａの内周面に形成された内歯ノッチ22ｂと係合し、差込部材２にレベル調節部３が上下に段階的に揺動可能に接続されることになる（図５参照）。
【００２１】
ちなみに、差込部材２およびレベル調節部材３を、表面の摩擦係数が少なくて潤滑性に優れた合成樹脂（例えば、ポリアミド樹脂）で作製することにより、突起31ａが、連結孔22ａの内周面に形成された内歯ノッチ22ｂとスムーズにノッチ式に係合することができる（図６参照）。
【００２２】
また、レベル調節部材３の下端部の先端を二股に分割成形して、かつ、先端外向きには係止ヅメ33を突設することができ、この下端部がレベル調節バックル５に挿入したとき、前記係止ヅメ33がバックル縁部52に係止して抜止め可能である一方、当該下端部を両側面から摘み押すことによって前記係止ヅメ33の係合を解除して取り外すことができる。
【００２３】
この際、上記の差込部材２と同様に、必要に応じて、レベル調節バックル５における掛止突起51の周囲を「コ」の字形に切欠いておくことにより、掛止突起51が弾性的に上下動可能となり、横長偏光グラス４をスムーズに上下スライドさせることができる。
【００２４】
本実施形態では、レベル調節部材３の下端部の先端が二股に分割成形され、かつ、先端外向きには係止ヅメ33が突設されており、この下端部がレベル調節バックル５に挿入したとき、前記係止ヅメ33がバックル縁部52に係止して抜止め可能にすることができる。そして、当該下端部を両側面から摘み押すことによって前記係止ヅメ33の係合を解除し、前記横長偏光グラス４を取り外すこともできる（図７参照）。こうして構成された本実施形態品は帽子またはサンバイザーなどの鍔Ｂに簡単に取り付けることができるのである（図８参照）。
【００２５】
なお、本実施形態のクリップサングラスは、クリップ１、差込部材２、レベル調節部材３、横長偏光グラス４、レベル調節バックル５をポリアミド樹脂で作製することができ、弾力性があって耐磨耗性が高く、しかも成形性、コスト性も良い。
【００２６】
本発明は概ね上記のように構成されるが、本発明は上記実施形態に限定されるものでは決してなく、「特許請求の範囲」の記載内において数々の変更が可能であり、例えば、各部材の嵌合関係（突起および孔部などの凹凸）の組み合わせは逆に入れ替わったとしても当然に同様の作用が得られる。
【００２７】
また、横長偏光グラス４は、鍔Ｂの形状と合致し得るように上縁部を湾曲形成することができるし、また、外側部を接眼方向に折り曲げ形成することによって遮光性を高めることもできる。さらにまた、本発明品の使用材料はポリアミド樹脂に限らず、ポリアセタール樹脂、ポリカーボネ―ト樹脂、ポリエステル樹脂などの合成樹脂で作製してもよく、何れのものも本発明の技術的範囲に属する。
【００２８】
【発明の効果】
以上、実施形態を挙げて説明したように、本発明を適用して得られるクリップサングラスは、レベル調節部材の連結軸の段階ノッチが、接続孔の内周面に形成された内歯ノッチに係合するように構成したことにより、偏光グラスを接眼位置または撥ね上げ位置だけでなく、着用者の目の前の位置に的確に合わせて保持したり、一定の角度位置に定置させておくことができるのである。
【００２９】
また、本発明によるクリップサングラスは、プラグ部の突起が、銜え口のソケット口に形成されたノッチに係合するように構成したことにより、差込部材を前後にスライド可能に固定することができるとともに、同様にレベル調節バックルの掛止突起がレベル調節部材に形成された刻み溝に係合するように構成したことにより、レベル調節バックルを上下にスライドさせて固定することができる。
【００３０】
したがって、横長偏光グラスが着脱自在であって、使用目的や天候に合わせて偏光グラスを取り替えることができ、しかも、偏光グラスを最適な位置に、簡単かつ確実に位置決めすることができることから、非常に使い勝手が良く、実用的利用価値は頗る高い。
【図面の簡単な説明】
【図１】本発明の実施形態のクリップサングラスを表わす全体斜視図である。
【図２】本発明の実施形態の構造を表わす部分側面断面図である。
【図３】本発明の実施形態の構造を表わす部分下面図である。
【図４】本発明の実施形態の構造を表わす部分分解斜視図である。
【図５】本発明の実施形態の構造を表わす部分側面図である。
【図６】本発明の実施形態の構造を表わす部分側面断面図である。
【図７】本発明の実施形態の構造を表わす部分分解背面図である。
【図８】本発明の実施形態のクリップサングラスの装着状態を表わす側面図である。
【符号の説明】
１    クリップ
11  銜え口
12  ソケット口
12ａ  ノッチ
２    差込部材
21  プラグ部
21ａ  突起
22  挟持ブラケット
22ａ  接続孔
22ｂ  内歯ノッチ
３    レベル調節部材
31  連結軸
31ａ  段階ノッチ
32  刻み溝
33  係止ヅメ
４    横長偏光グラス
５    レベル調節バックル
51  掛止突起
52  バックル縁部
Ｂ    鍔
【要約】【課題】偏光グラスの撥ね上げ保持角度を段階的に調節することができ、しかも最適な位置に簡単かつ確実に位置決めすることができる帽子・サンバイザー用クリップサングラスを提供する。
【解決手段】銜え口１１と、その下側にソケット口１２を備え、かつ、このソケット口１２の内部には所要間隔のノッチ１２ａ・１２ａ…が抜き挿し方向に沿って形成されたクリップ１と；プラグ部２１を一端に備え、このプラグ部２１とは反対側の端部には二股形状の挟持ブラケット２２が持出形成され、この挟持ブラケット２２の各々には内周面に内歯ノッチ２２ｂ・２２ｂ…を有する接続孔２２ａ・２２ａ…が対称的に形成された差込部材２と；連結軸３１の表面には所要間隔の段階ノッチ３１ａ・３１ａ…が形成されており、かつ、板面には切欠溝３２・３２…が形成されたレベル調節部材３と；横長偏光グラス４の中央部に固定され、掛止突起５１を有するレベル調節バックル５と；を具備して成るという技術的手段を採用した。
【選択図】  図１【図１】
0003548743.tif 000002
【図２】
0003548743.tif 000003
【図３】
0003548743.tif 000004
【図４】
0003548743.tif 000005
【図５】
0003548743.tif 000006
【図６】
0003548743.tif 000007
【図７】
0003548743.tif 000008
【図８】
0003548743.tif 000009